(57)【要約】【課題】  本発明は、事務作業や勉強などで、長時間、同一座位を取る人達に起こる腰痛、脳効率の低下、背筋などの歪みといった身体の痛み、ストレスを解消できるように工夫したマッサージ具で、座席やイスの背もたれ、また、水平面や垂直面を利用して使用し、押子を背面に挟圧して点圧（指圧）効果を得られるマッサージ押圧器具を提供する。【解決手段】  マッサージ押圧器具の押子（１Ａ）の左右端に係留材（４）を設け、マッサージ押圧器具の係留材（４）の端部に、着脱可能な部材（５）を設け、マッサージ押圧器具の係留材（４）に、長さの調節を可能にするアジャスター（６）を設け、マッサージ押圧器具の押子（１Ａ）の左右端に回動可能にする回転カン（３）を設けたことを特徴とするマッサージ押圧器具。【選択図】図１
2017060725.tif 000002
【特許請求の範囲】
【請求項１】
マッサージ押圧器具の押子（１Ａ）の左右端に係留材（４）を設け、マッサージ押圧器具の係留材（４）の端部に、着脱可能な部材（５）を設け、マッサージ押圧器具の係留材（４）に、長さの調節を可能にするアジャスター（６）を設け、マッサージ押圧器具の押子（１Ａ）の左右端に回動可能にする回転カン（３）を設けたことを特徴とするマッサージ押圧器具。
【発明の詳細な説明】
【技術分野】
【０００１】  本発明は、事務作業や勉強などで、長時間、同一座位を取る人達に起こる腰痛、脳効率の低下、背筋などの歪みといった身体の痛み、ストレスを解消できるように工夫したマッサージ具で、座席やイスの背もたれ、また、水平面や垂直面を利用して使用し、押子を背面に挟圧して点圧（指圧）効果を得られるマッサージ押圧器具に関するものである。
【背景技術】
【０００２】  たとえば、テニスボールなどを袋内に複数挿入し、係留材によってテニスボールを身体に圧接させるマッサージ具がある（たとえば、特許文献１参照）。
袋の中に柔軟な弾性を有する球体２個を入れ、その弾力性を利用して、マッサージする方法がある（たとえば、特許文献２参照）。
硬式テニスボールを人体のツボ、ないしは、患部などに押圧すると、病気、ないしは、身体的異常などの諸症状を緩和できることも、すでに、知られている（たとえば、非特許文献１参照）。
【先行技術文献】
【特許文献】
【０００３】
【特許文献１】  特開２００３−１１１８０９号公報
【特許文献２】  特開２００４−１６０１１１号公報
【非特許文献】
【非特許文献１】  書籍：酒井慎太郎著「腰痛は９９％完治する」株式会社  幻冬舎、２００９年１２月１０日発行、Ｐ１５８−Ｐ１６１
【発明の概要】
【発明が解決しようとする課題】
【０００４】  身体に装着して垂直な壁や背もたれに圧接させる場合、器具により衣類にシワが発生し、また、装着することにより身体を締めつけ、それによりストレスを感じるという問題があった。
仰向けに寝て押圧するに際し、全体重がかかるため、押圧力が増大し、それにより痛みを発生させる問題があった。
また、仰向けに寝て使用するために、使用する場所が限られ、事務作業中や勉強などの長時間、同一座位を取る人達にとって使用は極めて困難であった。
したがって、本発明は以上の問題点を解決するためになされたものである。
【課題を解決するための手段】
【０００５】  マッサージ押圧器具の押子（１Ａ）の左右端に係留材（４）を設け、マッサージ押圧器具の係留材（４）の端部に、着脱可能な部材（５）を設け、マッサージ押圧器具の係留材（４）に、長さの調節を可能にするアジャスター（６）を設け、マッサージ押圧器具の押子（１Ａ）の左右端に回動可能にする回転カン（３）を設ける。
以上のように構成されたマッサージ押圧器具。
【発明の効果】
【０００６】  本発明は、事務作業や学業を行う人など、それに、従事するために長時間、同一の姿勢で座り続けることで発症する腰痛や身体的ストレスを軽減するために、脊柱の両側に位置する筋肉やトリガーポイントを押圧、刺激するマッサージ押圧器具を提供することができる。
また、本発明は、鞄の中に収納して持ち運べるサイズなので、長時間、同一の姿勢を取り続ける場所に持ち運び、手軽に押圧、刺激が可能になる。
さらに、本発明は、押子をイスから取り外して、押子の左右端に設置された係留材を両
2017060725.tif 000003
な背面部の押圧、刺激が可能になる。
さらに、本発明は、筋肉の凝りに対する知識を持った治療士以外の、いわば凝りをほぐすための知識を有しない人であっても的確に局所を押圧、刺激でき、適度な押圧力により筋肉やトリガーポイントなど広範囲に渡り、背面部のマッサージ効果をえることができる。
そして、その押圧、刺激効果は背筋などを直接、かつ、十分に刺激し、それら筋肉が強化活性（廃用性委縮の改善）されて、とくに、骨盤が安定し歪みも修正されることから、腰痛や身体的ストレスが改善される。
さらに、構造が簡単で、部品点数が少ないので、製造コストを安価にすることができる。
【図面の簡単な説明】
【０００７】
【図１】  本発明の実施形態を示すマッサージ押圧器具の断面図である。
【図２】  本発明の要部の拡大図である。
【図３】  本発明の要部の拡大図である。
【図４】  本発明の使用状態を示した説明図である。
【図５】  本発明の使用状態を示した説明図である。
【図６】  本発明の使用状態を示した説明図である。
【発明を実施するための形態】
【０００８】  以下、本発明の実施の形態を図１〜図６に基づいて説明する。
マッサージ押圧器具の押子（１Ａ）の左右端に係留材（４）を設ける。
マッサージ押圧器具の係留材（４）の端部に、着脱可能な部材（５）を設ける。
マッサージ押圧器具の係留材（４）に、長さの調節を可能にするアジャスター（６）を設ける。
マッサージ押圧器具の押子（１Ａ）の左右端に回動可能にする回転カン（３）を設ける。
以上のように構成されたマッサージ押圧器具である。
図１の押子（１Ａ）は、可撓性、および、弾発性を有する直径５〜１０センチメートル程度で、たとえば、天然ゴム、合成ゴム、軟質系合成樹脂、天然繊維、あるいは、化学繊維によって弾発性を有する球状に成形された中空型、および、非中空型のものである。
また、押子（１Ａ）、押子（１Ａ）の列設方法は、接着、または、溶着、または、ビス止めなどによって固着することも可能である。
あるいは、一体成型によって成型することも可能である。
また、収納部材（２）の素材はメッシュ、または、天然繊維である木綿など、または、合成繊維であるポリエステル、布などの柔軟性のある素材であり、汚れ防止のため、さらに、着脱が容易で洗濯ができる全体を覆うカバーとなっている。
また、収納部材（２）の左右端は、マジックテープ（登録商標）、あるいは、ファスナー、あるいは、紐絞り仕上げなどとし、押子（１Ａ）が取り出しやすいようにする。
図２の回転カン（３）は、中心部分で３６０度回転可能な回動具であり、その一方と押子（１Ａ）、押子（１Ａ）の左右端の一方を合着、または、挿着させる。
押子（１Ａ）の左右端に設けた係留材（４）が上下運動によりねじれない様に、３６０度回転する回転カン（３）を設置する。
また、前記、回転カン（３）の一方には、係留材（４）を取り付ける。
図１、または、図３の係留材（４）は、伸縮性のあるゴムの様な紐であるため、イスのサイズを問わず、ずれることなく設置可能になる。
図１、図３の着脱可能な部材（５）は、係留材（４）の一方の端に凸部分と凹部分を有するベルトホルダー具のような着脱可能な部材の取り付けにより、様々な座席やイスに設置可能になる。
また、図１、図３の係留材（４）にとりつけられたアジャスター（６）は、係留材（４）の長さを調節するアジャスター（６）であり、係留材（４）の長さを調節することによりあらゆるサイズの座席やイスに設置可能になる。
図４は、座席やイスに座って使用する場合の説明図で、前記、実施例のマッサージ押圧体の使用説明図である。
前述の実施例のマッサージ押圧器具を座席やイスに装着した状態の側面図である（図１）。
図４は、身体の押圧所望位置に対向する位置に図１を取り付け、腰かけた状態で体重を背もたれ側にかけることにより、身体と背もたれとの間でマッサージ押圧器具（図１）の押子（１Ａ）が圧迫され、適度な強さで身体に押圧されるようにすることができる。
図５は、座席やイスから取り外し、水平面や垂直面に狭圧しながらの上下運動をする前記、実施例のマッサージ押圧体の使用状態を示した説明図である。
図６は、座席やイスから取り外し、水平面や垂直面に狭圧しながらの上下運動をする前記、実施例のマッサージ押圧体の使用状態を示した説明図である。
図５、図６は、前述の実施例のマッサージ押圧器具（図１）を座席やイスから取り外し、
2017060725.tif 000004
に狭圧しながら上下運動をしている説明図である。
図５、図６は、身体と水平面や垂直面の間でマッサージ押圧器具（図１）の押子（１Ａ）が圧迫され適度な押圧力で身体を押圧しながら上下運動をすることにより、脊柱の両側に位置する筋肉（脊柱起立筋）やトリガーポイントなど、広範囲に渡り、背面部のマッサージ効果をえることができる。
【符号の説明】
【００３９】  １Ａ  押子
２  収納部材
３  回転カン
４  係留材
５  着脱可能な部材
６  アジャスター
【図１】
2017060725.tif 000005
【図２】
2017060725.tif 000006
【図３】
2017060725.tif 000007
【図４】
2017060725.tif 000008
【図５】
2017060725.tif 000009
【図６】
2017060725.tif 000010